(57)【要約】【課題】障害者が利用する際にジャム処理の困難な状態を未然に回避することで利便性を向上させた画像形成装置を提供する。【解決手段】ＩＣカード受信部２３１にて、利用者２４２のＩＣカード２４１から当該利用者２４２の身体的特徴に関する情報を取得し、その情報に基づいて利用者２４２が障害者か健常者かを判断する。利用者が障害者であると判断した場合には、デッキ給紙段からのシート給送を禁止する。具体的には、操作部のＬＣＤ２１２に本体給紙段を示す情報のみを表示し、デッキ給紙段については非表示にすることで、デッキ給紙段を選択不可にする。【選択図】　図２
2004029071.tif 000002
【特許請求の範囲】
【請求項１】
シートを給送するための複数の給送経路と、
いずれかの給送経路を介して給送されるシートに画像を形成する画像形成手段と、
利用者の身体的特徴に関する情報を取得する利用者情報取得手段と、
前記利用者情報取得手段から取得した情報に基づいて利用者が障害者であると判断した場合に、所定の給送経路からのシートの給送を禁止する制御手段と、
を備えたことを特徴とする画像形成装置。
【請求項２】
前記給送経路のそれぞれに接続する複数の給紙段と、
使用する給紙段を利用者に選択させる入力手段と、を有し、
前記制御手段は、利用者が障害者であると判断した場合に、前記所定の給送経路に接続する給紙段を選択不可にすることを特徴とする請求項１に記載の画像形成装置。
【請求項３】
前記所定の給送経路は、ジャム処理を行うために装置を開放状態にしたときに装置の内部空間側に晒される給送経路であることを特徴とする請求項１または請求項２に記載の画像形成装置。
【請求項４】
前記所定の給送経路は、他の給送経路に比べて障害者によるジャム処理の困難性が高いことを特徴とする請求項１または請求項２に記載の画像形成装置。
【請求項５】
前記所定の給送経路に接続する給紙段は、装置本体の側部に配置されたデッキ給紙段であることを特徴とする請求項１乃至請求項４のいずれか１項に記載の画像形成装置。
【請求項６】
シートを給送するための給送経路であって、ジャム処理を行うために装置を開放状態にしたときに装置の外部空間側に晒される第１給送経路、および、装置の内部空間側に晒される第２給送経路を含む複数の給送経路と、
前記給送経路のそれぞれに接続する複数の給紙段と、
前記給送経路を介して給送されるシートに画像を形成する画像形成手段と、
利用者の身体的特徴に関する情報を取得する利用者情報取得手段と、
形成する画像のサイズに応じて使用すべき給紙段を選択する手段であって、前記利用者情報取得手段により取得した情報に基づいて利用者が障害者であると判断した場合に、前記第１給送経路に接続する給紙段を優先して使用すべき給紙段として選択する制御手段と、
を備えたことを特徴とする画像形成装置。
【請求項７】
前記制御手段は、
前記利用者情報取得手段により取得した情報に基づいて利用者が障害者であると判断した場合であって、かつ、前記第２給送経路に接続する給紙段にのみ前記画像のサイズに対応するシートが収容されている場合に、
該給紙段を使用すべき給紙段として選択するとともに、該給紙段からの給送間隔を通常の給送間隔よりも広い間隔に設定することを特徴とする請求項６に記載の画像形成装置。
【請求項８】
前記第２給送経路に接続する給紙段は、装置本体の側部に配置されたデッキ給紙段であることを特徴とする請求項６または請求項７に記載の画像形成装置。
【請求項９】
前記利用者情報取得手段は、利用者の所持する情報記録媒体から前記身体的特徴に関する情報を読み取る手段であることを特徴とする請求項１乃至請求項８のいずれか１項に記載の画像形成装置。
【請求項１０】
前記情報記録媒体は非接触型のＩＣカードであることを特徴とする請求項９に記載の画像形成装置。
【発明の詳細な説明】
【０００１】
【発明の属する技術分野】
本発明は、複写機及びプリンタ・ＦＡＸなど、複数の給紙段からシートを給送して画像形成を行う画像形成装置に関するものである。
【０００２】
【従来の技術】
従来より、画像形成装置、例えば複写機では、本体給紙段やデッキ給紙段などの複数の給紙段を備える構成が一般的である。この種の複写機では、操作部にて使用者に給紙段を選択させたり、あるいは原稿検知センサや原稿フィーダーによって原稿サイズを検知して自動的に給紙段を選択するなどして、様々なサイズのシートに画像形成を行うことが可能となっている。
【０００３】
また、近年では、車椅子利用者や弱視者などの障害者のために、障害者にとって操作しやすい装置構成の提案がなされている。たとえば、障害者であることを認識したら装置操作部を降下させて車椅子のまま操作可能としたり、操作部の表示文字を大きくすることで視認性を向上させるなどの技術が知られている。
【０００４】
【発明が解決しようとする課題】
ところで、シートを搬送して画像形成を行う画像形成装置にあっては、搬送するシートの紙詰まり（ジャム）という現象は少なからず発生する問題である。
【０００５】
一般に、本体給紙段からの給送時にジャムが発生した場合は、装置側方などに設けられた開閉扉を開放することで、給紙搬送路（給送経路）が装置の外部空間側に晒されるため、ジャム紙の確認および除去を比較的容易に行うことができる。
【０００６】
一方、デッキ給紙段などにあっては、ジャム処理を行うために装置を開放状態にしたとしても、その給紙搬送路（給送経路）は装置の内部空間側に晒される構造のものが多い。つまり、デッキ給紙段からの給送時にジャムが発生しても、装置側方もしくは上方からの視認だけではジャム紙を確認できず、この場合は、装置下方からデッキ給紙段内部を見上げるかたちでジャム紙を確認しなければジャム処理を行うことができない。
【０００７】
このように、給紙段によっては、しゃがんだり屈んだりするなど利用者が姿勢を変えないとジャム処理が行えない場合が存在する。これは障害者、特に車椅子利用者にとっては装置が使いにくくなる大きな要因となっている。また、装置内部の奥まった部分のジャム紙を取り除く作業は弱視者にとっては非常に困難である。
【０００８】
本発明は上記実情に鑑みてなされたものであって、その目的とするところは、障害者が利用する際にジャム処理の困難な状態を未然に回避することで利便性を向上させた画像形成装置を提供することにある。
【０００９】
【課題を解決するための手段】
上記目的を達成するために本発明の画像形成装置にあっては、シートを給送するための複数の給送経路と、いずれかの給送経路を介して給送されるシートに画像を形成する画像形成手段と、利用者の身体的特徴に関する情報を取得する利用者情報取得手段と、前記利用者情報取得手段から取得した情報に基づいて利用者が障害者であると判断した場合に、所定の給送経路からのシートの給送を禁止する制御手段と、を備えたことを特徴とする。
【００１０】
前記給送経路のそれぞれに接続する複数の給紙段と、使用する給紙段を利用者に選択させる入力手段と、を有し、前記制御手段は、利用者が障害者であると判断した場合に、前記所定の給送経路に接続する給紙段を選択不可にすることが好ましい。
【００１１】
前記所定の給送経路は、ジャム処理を行うために装置を開放状態にしたときに装置の内部空間側に晒される給送経路であることが好ましい。
【００１２】
前記所定の給送経路は、他の給送経路に比べて障害者によるジャム処理の困難性が高いことが好ましい。
【００１３】
前記所定の給送経路に接続する給紙段は、装置本体の側部に配置されたデッキ給紙段であることが好ましい。
【００１４】
また、他の発明の画像形成装置にあっては、シートを給送するための給送経路であって、ジャム処理を行うために装置を開放状態にしたときに装置の外部空間側に晒される第１給送経路、および、装置の内部空間側に晒される第２給送経路を含む複数の給送経路と、前記給送経路のそれぞれに接続する複数の給紙段と、前記給送経路を介して給送されるシートに画像を形成する画像形成手段と、利用者の身体的特徴に関する情報を取得する利用者情報取得手段と、形成する画像のサイズに応じて使用すべき給紙段を選択する手段であって、前記利用者情報取得手段により取得した情報に基づいて利用者が障害者であると判断した場合に、前記第１給送経路に接続する給紙段を優先して使用すべき給紙段として選択する制御手段と、を備えたことを特徴とする。
【００１５】
前記制御手段は、前記利用者情報取得手段により取得した情報に基づいて利用者が障害者であると判断した場合であって、かつ、前記第２給送経路に接続する給紙段にのみ前記画像のサイズに対応するシートが収容されている場合に、該給紙段を使用すべき給紙段として選択するとともに、該給紙段からの給送間隔を通常の給送間隔よりも広い間隔に設定することが好ましい。
【００１６】
前記第２給送経路に接続する給紙段は、装置本体の側部に配置されたデッキ給紙段であることが好ましい。
【００１７】
上記いずれかの構成において、前記利用者情報取得手段は、利用者の所持する情報記録媒体から前記身体的特徴に関する情報を読み取る手段であることが好ましい。
【００１８】
前記情報記録媒体は非接触型のＩＣカードであることが好ましい。
【００１９】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２０】
（第１の実施形態）
図１は、本発明の第１の実施形態に係る画像形成装置としてのデジタル複合機の概略構成断面図である。以下、図を参照して、本体構成について説明する。
【００２１】
原稿搬送部１３０は以下のように構成されている。
【００２２】
原稿置き台１３１にセットされた原稿を給紙ローラー１３２によって１枚ずつ分離搬送する。続いてモータ１３６によって駆動される原稿搬送ベルト１３７が原稿を所定の原稿読取位置まで搬送し、原稿読取手段としての原稿読取部１２０が原稿の読取動作を行う。原稿の読取動作後は、フラッパー１３５にて搬送経路を変更した後、モータ１３６を逆転することで排紙ローラー１３４を介して原稿を排出トレイ１３８に排出する。
【００２３】
原稿読取部１２０は以下のように構成されている。
【００２４】
露光ランプ１２２は、蛍光灯、ハロゲンランプ等からなり、その長手方向に対して垂直方向（図中横方向）に移動しながら、原稿載置ガラス（原稿台）１２６上の原稿を照射する。露光ランプ１２２の照射による原稿からの散乱光は、第１，第２ミラー台１２１，１２３によって反射され、レンズ１２４に到達する。この時、第１ミラー台１２１の移動に対して、第２のミラー台１２３は１／２のスピードで移動し、照射した原稿面からレンズ１２４までの距離は常に一定に保たれる。第１ミラー台１２１、第２ミラー台１２３はモータ１２５で移動する。原稿上の像は、第１，第２ミラー台１２１，１２３およびレンズ１２４を介して、数千個の受光素子がライン配列されたＣＣＤラインセンサー１２７の受光部上に結像し、ＣＣＤラインセンサー１２７により逐次、ライン単位で光電変換される。光電変換された信号は、図示せぬ信号処理部で処理され、ＰＷＭ変調されて出力される。
【００２５】
シートに画像を形成する画像形成手段としての画像形成部１００は以下のように構成されている。
【００２６】
露光制御部は、信号処理部の出力であるＰＷＭ変調した画像信号に基づいて半導体レーザ１０１を駆動し、光ビームを定速回転している感光体１０７の表面に照射する。この時、ドラム状の感光体１０７の軸方向と平行にモータ１０３で回転しているポリゴンミラー１０２を用いて光ビームを偏向走査する。なお、感光体１０７は、光ビームを照射する前に、図示せぬ前露光ランプによりドラム上の残量電荷が除電され、図示せぬ１次帯電器によってその表面が均一に帯電されている。従って、感光体１０７は回転しながら光ビームを受けることにより、ドラム表面に静電潜像が形成される。そして、現像器１０４により、ドラム表面の静電潜像を所定色の現像剤（トナー）で可視化する。
【００２７】
後述する本体給紙段１４０，１５０，１６０，１７０、および装置本体の側部に配置されたデッキ給紙段１８０のいずれかの給紙段から給送されたシート（転写紙）は、レジストローラー１０６まで搬送される。レジストローラー１０６は、センサ１０５を用いてシートの到達を検知し、感光体１０７に形成された画像先端と、シート先端のタイミングを合わせて転写位置にシートを給送する。
【００２８】
転写帯電器１０８は、感光体１０７上の現像されたトナー像を給送されたシートに転写する。転写後、感光体１０７は、図示せぬクリーナーにより、残ったトナーを除去される。
【００２９】
転写の終了したシートは、感光体１０７の曲率が大きいため感光体１０７から分離しやすいが、さらに、図示せぬ除電針に電圧をかけることで、感光体１０７とシートの間の吸着力を弱め、分離を行いやすくしている。
【００３０】
分離されたシートは、定着部１０９に送られトナーが定着される。定着部１０９は、セラミック・ヒーター１１０、フィルム１１１、および２つのローラーで構成される。セラミック・ヒーター１１０の熱は、薄いフィルム１１１を介して効率よく伝達される。冷却ローラーは、定着部ローラーを放熱する。給送ローラーは、大ローラー１つと小ローラー２つで構成され、定着部からのシートを給送すると共に、シートの巻き癖を補正する。
【００３１】
方向フラッパー１１２は、シートの排出先を動作モードに応じてトレイ１１３と１１４とに切り替える。
【００３２】
４つの本体給紙段１４０，１５０，１６０，１７０は、装置本体下部に縦に並べて設けられており、それぞれの給紙段は、装置本体下方から上方にのびる第１給送経路Ｐ１に接続されている。一方、デッキ給紙段１８０は、本体給紙段１４０，１５０，１６０，１７０よりも大量のシートを蓄積できる給紙段であり、その上部において第２給送経路Ｐ２に接続されている。第２給送経路Ｐ２は、装置本体側に設けられた第３給送経路Ｐ３を介して、レジストローラー１０６の上流位置で第１給送経路Ｐ１と合流している。
【００３３】
本体給紙段１４０，１５０，１６０，１７０はほぼ同等の構成を有しているので、本体給紙段１４０を例にとってその構成を説明する。
【００３４】
シートを蓄積収納するカセット１４１の底面には、リフトアップモータ１４３によって上下する底板１４２が配置されている。この底板１４２が上昇することで所定の待機高さでシートを待機状態にすることができる。
【００３５】
所定の位置で待機しているシートは、ピックアップローラ１４４によって給送ローラー対１４５まで搬送される。給送ローラー１４５対は、給紙と逆回転方向にトルクがかけられており、これによりシートの重送を防止しつつシートを一枚ずつ第１給送経路Ｐ１へと送り出している。また、搬送ローラー１４６は本体給紙段１４０より下方にある給紙段から搬送されてきたシートをさらに上方に搬送するためのローラー対である。
【００３６】
デッキ給紙段１８０は以下のように構成されている。
【００３７】
シートを蓄積収納する紙庫１８１の底面にシートを待機位置まで上昇させる底板１８２が配置されている。底板１８２はモータ１８３によって回転するベルトに接続されている。このベルトが移動することで底板１８２の上昇・下降を制御している。待機位置にあるシートはピックアップローラ１８５で給送ローラー対１８４まで搬送される。給送ローラー対１８４は、本体給紙段の場合と同様に重送を防止しつつシートを第２給送経路Ｐ２へと搬送している。
【００３８】
＜本体給紙段でのジャム＞
本体給紙段１４０，１５０，１６０，１７０からのシート給送においてジャムが発生した場合には、ジャムシートは本体下方から上方に縦にのびる第１給送経路Ｐ１内か、給送ローラー１４５から第１給送経路Ｐ１の間までのいずれかに位置している。
【００３９】
ジャム処理を行うためには、まずデッキ給紙段１８０を図中右側にスライドさせて装置本体と離間させ、装置本体側面に設けられた開閉扉（不図示）を開けることで、装置本体を開放状態にする。そうすると、第１給送経路Ｐ１が装置の外部空間側に晒されるため、第１給送経路Ｐ１内のジャムシートはすぐに視認でき、容易に除去可能である。また、給送ローラーから第１給送経路Ｐ１までの距離は短く、その部分に詰まったシートは容易に取り除くことができる。
【００４０】
＜デッキ給紙段でのジャム＞
デッキ給紙段１８０からのシート給送においてジャムが発生した場合には、ジャムシートはデッキ給紙段１８０の上部にある第２給送経路Ｐ２内か、第２給送経路Ｐ２に接続する装置本体側の第３給送経路Ｐ３内のいずれかに位置している。
【００４１】
ジャム処理を行うためには、まずデッキ給紙段１８０を図中右側にスライドさせて装置本体と離間させ、装置本体側面に設けられた開閉扉（不図示）を開けることで、装置本体を開放状態にする。そうすると、第３給送経路Ｐ３が装置の外部空間側に晒されるため、第３給送経路Ｐ３内のジャムシートはすぐに視認でき、容易に除去可能である。
【００４２】
次に、デッキ給紙段１８０の前面に設けられた開閉扉（不図示）を開け、デッキ給紙段１８０を開放状態にする。そうすると、第２給送経路Ｐ２が装置の内部空間である紙庫１８１側に晒されるので、ジャム処理可能な状態となる。この場合には、しゃがむか、姿勢を低くし、紙庫１８１内から上方を見上げるようにして、第２給送経路Ｐ２内のジャムシートの視認および除去を行う。
【００４３】
これは、デッキ給紙段１８０の構成上、第２給送経路Ｐ２の経路長をある程度長く設けなければならないために、装置外部側からジャムシートを取り出すことができないこと、および、装置強度を確保するために装置上部や側部などに別途ジャム処理用の扉を設けるなどの構造を採用しづらいことに起因する。
【００４４】
このようなデッキ給紙段１８０のジャム処理は、車椅子利用者や視覚障害者などの障害者にとっては非常に困難な作業となる。なぜなら、車椅子利用者にとっては、車椅子から降りてしゃがみこむような無理な体勢を要求されるからであり、視覚障害者にとっては、デッキ給紙段１８０内部の複雑なメカ機構のところを手探りで触らなければいけないような動作が要求されるからである。
【００４５】
そこで、本実施形態では、利用者が健常者か障害者かを判断し、自動的に使用可能な給紙段を切り替えるような制御を行う。
【００４６】
図２は、上記画像形成装置の制御回路のブロック図である。
【００４７】
制御用のＣＰＵ２０１は、ＲＯＭ２０２とＲＡＭ２０３を使用して各装置のシーケンス制御を行う制御手段である。操作部コントローラ２１１は利用者２４２に情報を表示する表示手段としてのＬＣＤ２１２と、利用者２４２による情報入力を行わしめる入力手段としてのタッチパネル２１３を制御・検知している。
【００４８】
Ｉ／Ｏコントローラ２２１は、シート搬送などに必要なモータ２２３、クラッチ２２４、ソレノイド２２５などを、ＣＰＵ２０１からの命令に基づいてドライバ２２２を介して制御している。図示しないが各種センサからの信号入力もＩ／Ｏコントローラ２２１で行っている。
【００４９】
ＩＣカード受信部２３１は、利用者２４２が所持している情報記録媒体としてのＩＣカード２４１から情報を読み取る手段（利用者情報取得手段）である。具体的には、ＩＣカード受信部２３１は、ＩＣカード２４１からの電波をアンテナ２３２で受け、受信したデータをＣＰＵ２０１が理解できる形の情報形態にデコードする。
【００５０】
図２に示すような装置を用いて利用者からの情報を判別すると共に、利用者への情報の提示、利用者からの情報入力、シートの搬送制御が可能となっている。
【００５１】
図３は、図２の制御回路を使って障害者対応をする場合のフローチャートである。同図に示す処理は、上記制御用ＣＰＵによって制御、演算もしくは実行されるものである。
【００５２】
初めに、利用者の所持するＩＣカードからの情報入力があるまで待機する（ステップＳ１０）。
【００５３】
ＩＣカードからの電波を検知したら、ＩＣカード受信部にてＩＣカードに記録されている情報を読み取る。そして、その情報に含まれる当該利用者の身体的特徴に関する情報を取得し、その情報に基づいて当該利用者が障害者か健常者かを判断する（ステップＳ１１）。
【００５４】
利用者が健常者であると判断した場合には、デッキ給紙段も含めた全ての給紙段を利用可能な状態にする。具体的には、操作部のＬＣＤに全ての給紙段（本体給紙段およびデッキ給紙段）を示す情報を表示し、そのなかから使用を希望する給紙段を利用者に選択可能とする（ステップＳ１２）。健常者であればジャム処理においてしゃがみこむような姿勢をとることが容易なので、たとえデッキ給紙手段からのシート給送時にジャムが発生しても、問題なくジャム処理を行うことができる。
【００５５】
一方、利用者が障害者であると判断した場合には、デッキ給紙段、すなわち第２給送経路からの給送を禁止する。具体的には、操作部のＬＣＤに本体給紙段を示す情報のみを表示し、デッキ給紙段については非表示にすることで、デッキ給紙段を選択不可にする（ステップＳ１３）。
【００５６】
これにより、障害者が当該装置を利用する際には、デッキ給紙段からの給送は行われなくなり、第２給送経路内でのジャムの発生をなくすことができる。
【００５７】
したがって、障害者が利用する際にジャム処理の困難な状態を未然に回避することができ、ひいては障害者の利便性の向上を図ることができる。
【００５８】
また、利用者が所持するＩＣカードから非接触で情報を読み取り、その利用者が障害者か否かを判断することで、選択可能な給紙段を切り替えることとしたので、利用者の操作性を害することなく装置の利便性を向上させることができる。
【００５９】
（第２の実施形態）
図４には、本発明の第２の実施形態が示されている。上記第１の実施形態では、使用する給紙段を利用者に選択させる構成を示したが、本実施形態では、形成する画像のサイズに応じて使用すべき給紙段を自動的に選択する構成を示す。
【００６０】
画像形成装置の装置構成および回路構成は、図１および図２で説明したものと同一なので、ここではその詳しい説明は省略するものとする。
【００６１】
この画像形成装置は、原稿を原稿台ガラス１２６に設置した時、または原稿搬送部１３０で原稿を搬送する時に原稿サイズを認識し、認識された原稿サイズと設定されている機能（倍率など）に基づいて使用すべき給紙段を切り替える“オート用紙選択”機能を有する。
【００６２】
一般に、オート用紙選択では、以下のように給紙段の優先順位が設けられている。
【００６３】
ひとつに、同じサイズのシートが複数の本体給紙段に搭載されていた場合には上段からの給紙を優先としている。これは感光体１０７までの到達時間が短いためである。
【００６４】
さらに、デッキ給紙段と本体給紙段とに同じサイズのシートが搭載されていた場合にはデッキ給紙段からの給紙を優先としている。これは、大量に使うシートをデッキ給紙段に入れるため、利用者の利便性を考慮して決定している。
【００６５】
かかる前提のもと、本実施形態では、利用者が健常者か障害者かを判断し、次のようなロジックで使用すべき給紙段を選択している。図４は、オート用紙選択機能に係るフローチャートである。
【００６６】
利用者が障害者か健常者かを判断する処理（ステップＳ２０，Ｓ２１）までは、第１の実施形態の処理（図３のステップＳ１０，Ｓ１１）と同一である。
【００６７】
ステップＳ２１において、利用者が健常者であると判断した場合には、通常の給紙シーケンスを行う（ステップＳ２２）。すなわち、オート用紙選択モードのときは上記給紙段の優先順位にしたがって使用すべき給紙段を選択し、他のモードのときは利用者が選択したサイズに応じて使用すべき給紙段を選択する。
【００６８】
一方、利用者が障害者であると判断した場合には、オート用紙選択モードか否かを調べる（ステップＳ２３）。
【００６９】
オート用紙選択モードではなかった場合、デッキ給紙段、すなわち第２給送経路からの給送を禁止する（ステップＳ２４）。ここでの処理は第１の実施形態の処理（ステップＳ１３）と同一である。
【００７０】
オート用紙選択モードの場合には、給紙段の選択・決定処理に移行する。まず認識された原稿サイズと設定されている機能（倍率など）に基づいて、形成する画像のサイズ（以下、「選択されたサイズ」という。）を算出する。そして、選択されたサイズと、デッキ給紙段に収容されているシートのサイズが同じか否かを調べる（ステップＳ２５）。
【００７１】
選択されたサイズのシートがデッキ給紙段に収容されておらず、本体給紙段にのみ収容されている場合には、そのまま本体給紙段からシートの給紙動作を行う（ステップＳ２７）。
【００７２】
選択されたサイズのシートがデッキ給紙段に収容されている場合には、同じサイズのシートが本体給紙段にも収容されているか否かを調べ（ステップＳ２６）、第１給送経路に接続された本体給紙段にも同一サイズのシートが収容されていることを知った場合には、上述した給紙段の優先順位に反して、本体給紙段を使用すべき給紙段として選択する（ステップＳ２７）。
【００７３】
ステップＳ２６において、第２給送経路に接続されたデッキ給紙段にのみ選択されたサイズのシートが収容されていることを知った場合には、このデッキ給紙段を使用すべき給紙段として選択するとともに（ステップＳ２８）、デッキ給紙段からの給紙間隔（給送間隔）を通常よりも広い間隔に設定して、給紙動作を行う（ステップＳ２９）。
【００７４】
以上述べた構成によれば、障害者が当該装置を利用する際に、本体給紙段とデッキ給紙段に同一サイズのシートがある場合には、必ず本体給紙段から給送が行われることになるので、第２給送経路内でのジャムの発生をなくすことができる。したがって、有用性の高いオート用紙選択機能利用時においても、障害者が利用する際にジャム処理の困難な状態を未然に回避することができ、ひいては障害者の利便性の向上を図ることができる。
【００７５】
さらに、形成する画像に対応したサイズのシートがデッキ給紙段にしかないときには、給送間隔を通常よりも広げることによって、ジャム発生の確率を下げることができる。
【００７６】
【発明の効果】
以上説明したように、本発明によれば、障害者が利用する際にジャム処理の困難な状態を未然に回避することができ、障害者にとっての利便性を向上させることができる。
【図面の簡単な説明】
【図１】画像形成装置の概略構成断面図である。
【図２】図１の画像形成装置の制御回路のブロック図である。
【図３】給紙段の選択に係るフローチャートである。
【図４】オート用紙選択機能に係るフローチャートである。
【符号の説明】
１００　画像形成部（画像形成手段）
１０１　半導体レーザ
１０２　ポリゴンミラー
１０３　モータ
１０４　現像器
１０５　センサ
１０６　レジストローラー
１０７　感光体
１０８　転写帯電器
１０９　定着部
１１０　セラミック・ヒーター
１１１　フィルム
１１２　方向フラッパー
１１３，１１４　トレイ
１２０　原稿読取部
１２１　第１ミラー台
１２２　露光ランプ
１２３　第２ミラー台
１２４　レンズ
１２５　モータ
１２６　原稿台ガラス
１２７　ラインセンサー
１３０　原稿搬送部
１３１　原稿置き台
１３２　給紙ローラー
１３４　排紙ローラー
１３５　フラッパー
１３６　モータ
１３７　原稿搬送ベルト
１３８　排出トレイ
１４０，１５０，１６０，１７０　本体給紙段
１４１　カセット
１４２　底板
１４３　リフトアップモータ
１４４　ピックアップローラ
１４５　給送ローラー対
１４６　搬送ローラー
１８０　デッキ給紙段
１８１　紙庫
１８２　底板
１８３　モータ
１８４　給送ローラー対
１８５　ピックアップローラ
２０１　ＣＰＵ（制御手段）
２０２　ＲＯＭ
２０３　ＲＡＭ
２１１　操作部コントローラ
２１２　ＬＣＤ
２１３　タッチパネル（入力手段）
２２１　Ｉ／Ｏコントローラ
２２２　ドライバ
２２３　モータ
２２４　クラッチ
２２５　ソレノイド
２３１　ＩＣカード受信部（利用者情報取得手段）
２３２　アンテナ
２４１　ＩＣカード（情報記録媒体）
２４２　利用者
Ｐ１　第１給送経路
Ｐ２　第２給送経路
Ｐ３　第３給送経路
【図１】
2004029071.tif 000003
【図２】
2004029071.tif 000004
【図３】
2004029071.tif 000005
【図４】
2004029071.tif 000006